(57)【要約】  本発明は、介入装置の電気部品に関する。医療介入装置の更なる小型化を提供するために、介入装置の電気部品１０が、提供される。この部品は、平坦なキャリアベース１２、基板１６上に設けられた少なくとも１つの電気回路１４、及び有線接続２０によって電気回路に接続された少なくとも１つの電気ワイヤ１８を有する。基板は、キャリアベースに取り付けられる。更に、有線接続に対して、キャリアベースは、少なくとも部分的に導電性エッジ部分２４を設けられた少なくとも１つの開口部２２を設けられ、このエッジ部分は、少なくとも１つの電気回路に接続される。更に、基板は、キャリアベースの少なくとも１つの開口部の場所と整列された少なくとも１つの凹部２６を設けられる。更に、ワイヤの端部は、少なくとも１つの凹部内に配置され、ワイヤの端部は、導電性材料３０によって導電性エッジ部分に導電的に結合される。
2021533949.tif 000002
【特許請求の範囲】
【請求項１】
介入装置の電気部品において、前記部品が、
平坦なキャリアベースと、
基板上に設けられた少なくとも１つの電気回路と、
有線接続によって前記電気回路に接続された少なくとも１つの電気ワイヤと、
を有し、
前記基板は、前記キャリアベースの第１の側に取り付けられ、
前記有線接続に対して、前記キャリアベースは、少なくとも部分的に導電性エッジ部分を設けられた少なくとも１つの開口部を設けられ、前記エッジ部分は、前記少なくとも１つの電気回路に接続され、
前記基板は、前記キャリアベースの前記少なくとも１つの開口部の場所と整列された少なくとも１つの凹部を設けられ、
前記ワイヤの端部は、前記基板に実質的に平行に前記少なくとも１つの凹部内に配置され、前記ワイヤの前記端部は、導電性材料によって前記導電性エッジに導電的に結合され、
前記基板及び前記少なくとも１つの電気ワイヤは、前記キャリアベースの前記第１の側に取り付けられる、
電気部品。
【請求項２】
前記キャリアベースは、可撓性層と、前記可撓性層に取り付けられた導体経路とを有する、請求項１に記載の電気部品。
【請求項３】
前記導電性エッジ部分は、前記キャリアベース上の金属パッドとして設けられ、
前記金属パッドは、前記導体経路に接続される、
請求項１又は２に記載の電気部品。
【請求項４】
前記電気回路の前記基板は、シリコンからなる剛体基板である、請求項１乃至３のいずれか一項に記載の電気部品。
【請求項５】
前記電気ワイヤの前記端部は、前記ワイヤの前記開口部に対向する側のそれぞれの前記開口部と整列してのみ除去される円周方向に包囲する電気絶縁体を設けられる、請求項１乃至４のいずれか一項に記載の電気部品。
【請求項６】
前記導電性エッジ部分は、前記キャリアベースの前記開口部分のエッジにクランプされた金属パッドとして設けられる、請求項３記載の電気部品。
【請求項７】
前記ワイヤは、前記凹部を形成する前記基板のエッジ部分に接着剤で機械的に結合される、請求項１乃至６のいずれか１項に記載の電気部品。
【請求項８】
前記少なくとも１つの凹部は、前記少なくとも１つの開口部が前記少なくとも１つの凹部に到達するように配置される、請求項１乃至７のいずれか１項に記載の電気部品。
【請求項９】
前記少なくとも１つの凹部は、前記少なくとも１つの開口部と整列して配置されるが、前記少なくとも１つの開口部に対して変位され、前記ワイヤは、まず前記凹部を通って延在し、次いで前記開口部に到達し、
前記ワイヤは、前記凹部内の一部において電気絶縁体の円周方向層を設けられ、前記ワイヤは、前記凹部を形成する前記基板のエッジ部分に接着剤で機械的に結合される、
請求項１乃至７のいずれか１項に記載の電気部品。
【請求項１０】
前記少なくとも１つの開口部は、前記少なくとも１つの凹部と整列して配置され、前記凹部は、前記凹部の第１の部分が前記キャリアベースの開口部とともに設けられ、第２の部分が前記キャリアベースの開口部なしで設けられるように、前記開口部よりも長い延長部を有し、
前記ワイヤは、前記凹部の前記第２の部分内の一部において電気絶縁体の円周方向層を有する絶縁セクションを設けられ、前記ワイヤの前記絶縁セクションは、前記凹部を形成する前記基板のエッジ部分に接着剤で機械的に結合され、
前記ワイヤは、前記凹部の前記第１の部分内の一部における絶縁体なしの剥き出し端部を設けられ、前記ワイヤの前記剥き出し端部は、前記はんだ付け材料によって接続される、
請求項１乃至７のいずれか１項に記載の電気部品。
【請求項１１】
前記電気部品は、介入装置用のセンサ、測定ユニット及びアプリケーションユニットの少なくとも１つとして設けられる、請求項１乃至１０のいずれか一項に記載の電気部品。
【請求項１２】
前記電気部品は、複数の電気回路を有し、
複数の相互接続ワイヤが、前記電気回路間に設けられ、
前記相互接続ワイヤは、前記キャリアベースの前記開口部及び前記基板の前記凹部との有線接続によって接続される、
請求項１乃至１１のいずれか一項に記載の電気部品。
【請求項１３】
対象の身体内に少なくとも部分的に挿入するための介入装置であって、前記装置は、
細長い本体構造と、
請求項１乃至１２のいずれか一項に記載の電気部品と、
を有し、
前記本体構造は、前記対象の身体に挿入するための遠位部分を有し、
前記電気部品は、前記細長い本体構造の前記遠位部分に取り付けられる、
装置。
【請求項１４】
介入装置の電気部品を製造する方法であって、
ａ）基板上に設けられた少なくとも１つの電気回路を有する平坦なキャリアベースを提供するステップであって、前記基板は、前記キャリアベースの第１の側に取り付けられ、
前記キャリアベースは、少なくとも部分的に導電性エッジ部分を設けられた少なくとも１つの開口部を設けられ、前記エッジ部分は、前記少なくとも１つの電気回路に接続され、
前記基板は、前記キャリアベースの前記少なくとも１つの開口部の場所と整列された少なくとも１つの凹部を設けられる、ステップと、
ｂ）前記電気回路と接続するための少なくとも１つの電気ワイヤを提供するステップと、
ｃ）前記少なくとも１つの電気ワイヤの端部を前記少なくとも１つの凹部内に前記基板と実質的に平行に配置するステップと、
ｄ）前記ワイヤの前記端部を前記キャリアベースの前記第１の側に取り付け、前記ワイヤの前記端部及び前記導電性エッジ部分を導電的に結合するステップと、
を有する方法。
【請求項１５】
ステップｃ）において、前記ワイヤの前記端部は、円周方向に包囲する電気絶縁体を設けられ、
ステップｄ）の前に、前記絶縁体が、前記ワイヤの前記開口部に対向する側の前記それぞれの開口部と整列して除去される、
請求項１４に記載の方法。
【請求項１６】
前記キャリアベース上に前記少なくとも１つの開口部を設け、前記ワイヤの前記開口部に対向する側の前記ワイヤの前記絶縁体を除去することが、同じレーザ除去処理ステップにおいて実行される、請求項１５に記載の方法。
【発明の詳細な説明】
【技術分野】
【０００１】
本発明は、介入装置の電気部品、対象に少なくとも部分的に挿入するための介入装置、及び介入装置の電気部品を製造する方法に関する。
【背景技術】
【０００２】
介入医療装置では、電気部品が、提供され、例えば、カテーテル又はガイドワイヤの遠位端に一体化される。一例として、端部におけるセンサの電気回路が、配置されてもよい。このような介入装置は、対象の血管構造に挿入するために設けられるので、一体化された電気部品の寸法は、小さくなければならない。例えば、国際公開第２０１８／０９５９９１号パンフレットは、小型センサへの電気接続に関する。更なる例として、国際公開第２０１５／０７７４４９号パンフレットは、カテーテル内の半導体センサチップに関する。
【０００３】
ＵＳ２０１４／０３７１７４４Ａ１は、第１の表面及び第２の表面を有する基板と、電子回路と、該電子回路に電気的接続を提供し、該第１の表面上に配置されるための電気的接続部と、少なくとも１つの電気ワイヤとを有する、電子回路構成を開示している。前記第１の面から前記第２の面に延びる貫通孔は、前記基板に設けられ、前記電気ワイヤは、前記貫通孔を通って配置され、かつ、前記電気ワイヤの端部の長手軸が、前記基板の前記第１及び第２の面に垂直となるように、電気接続部に接続される。
【０００４】
ＥＰ００８１３８９Ａ２は、導体を別の導体に電気的に接続するための装置を開示し、装置は、内部に窓を有する寸法的に熱安定なポリマ層と、その窓に対して配置さ、窓を通って流れることを可能にし、ポリマ層の反対側に配置された導体間の導電接続を形成する大量の可融導電性はんだ付けとを有する。
【発明の概要】
【発明が解決しようとする課題】
【０００５】
しかしながら、例えば、カテーテル遠位端をより小さな血管構造に挿入するために、センサのサイズを更に低減する要求が高まっている。
【０００６】
したがって、医療介入装置の更なる小型化を提供する必要性が存在し得る。
【課題を解決するための手段】
【０００７】
本発明の目的は、独立請求項の主題によって解決され、更なる実施形態は、従属請求項に組み込まれる。本発明の以下に説明される態様は、介入装置の電気部品、対象に少なくとも部分的に挿入するための介入装置、及び介入装置の電気部品を製造する方法にも適用されることに留意されたい。
【０００８】
本発明によれば、介入装置の電気部品が、提供される。部品は、平坦なキャリアベースと、基板上に設けられた少なくとも１つの電気回路と、有線接続によって電気回路に接続された少なくとも１つの電気ワイヤとを有する。基板は、キャリアベースの第１の側に取り付けられる。有線接続のために、キャリアベースは、少なくとも部分的に導電性エッジ部分を設けられた少なくとも１つのスリット開口部を設けられ、このエッジ部分は、少なくとも１つの電気回路に接続される。基板は、キャリアベース内の少なくとも１つのスリット開口部の場所と整列された少なくとも１つの凹部を設けられる。更に、ワイヤの端部は、少なくとも１つの凹部内に配置され、実質的に基板と平行である。更に、ワイヤの端部は、はんだ付けによって導電性エッジ部分に導電結合される。
【０００９】
その結果、電気部品のサイズは、最小限に保たれ、したがって、介入装置のより小さいサイズの遠位端を可能にする。
【００１０】
一例によれば、少なくとも１つの電気回路の基板は、第１の側においてキャリアベースに取り付けられ、少なくとも１つの電気ワイヤも、第１の側においてキャリアベースに接続される。
【００１１】
一例によれば、キャリアベースは、可撓性層と、該可撓性層に取り付けられた導体経路とを有する。
【００１２】
例えば、可撓性キャリアプレートは、例えばガイドワイヤの曲げにより、異なる形式の介入装置に対して調整されることができる。
【００１３】
一例によれば、電気回路の基板は、シリコンからなる剛体基板である。
【００１４】
一例によれば、ワイヤの端部は、円周方向に包囲する電気絶縁体を設けられ、この電気絶縁体は、ワイヤのスリット開口部に対向する側のそれぞれのスリット開口部と整列して除去される。
【００１５】
一例によれば、少なくとも１つの凹部は、少なくとも１つのスリット開口部に沿って配置されるが、変位される。更に、ワイヤは、まず、凹部を通って延在し、次いで、スリット開口部に到達する。更に、ワイヤは、凹部内の一部に電気絶縁体の円周方向層を設けられる。更に、ワイヤは、凹部を形成する基板のエッジ部分に接着剤で機械的に結合される。
【００１６】
一例によれば、少なくとも１つのスリット開口部は、少なくとも１つの凹部と整列して配置され、凹部は、凹部の第１の部分がキャリアベース内のスリット開口部を備え、第２の部分がキャリアベース内のスリット開口部を備えないように、スリット開口部よりも長い延長部を有する。更に、ワイヤは、凹部の第２の部分内の部分において電気絶縁体の円周方向層を有する絶縁セクションを設けられ、該絶縁セクションにおいて、ワイヤは、凹部を形成する基板のエッジ部分に接着剤で機械的に結合される。更に、ワイヤは、凹部の第１の部分内の部分において絶縁体を有さない剥き出し端部セクションを備え、この剥き出し端部セクションには、ワイヤが、はんだ付けによって接続される。
【００１７】
一例によれば、電気部品は、介入装置のためのセンサ、測定ユニット、及び応用ユニットのグループのうちの少なくとも１つに関する。
【００１８】
本発明によれば、対象内に少なくとも部分的に挿入するための介入装置も、提供される。装置は、細長い本体構造と、前述の例のうちの１つに従って提供される電気部品とを有する。本体構造は、対象、例えば血管構造の血管に挿入するための遠位部分、又は遠位端を有する。更に、電気部品は、本体構造の遠位部分に取り付けられる。
【００１９】
本発明によれば、介入装置の電気部品を製造する方法も、提供される。この方法は、
ａ）基板上に設けられた少なくとも１つの電気回路を有する平坦なキャリアベースを提供するステップであって、基板回路は、キャリアベースに取り付けられ、キャリアベースは、少なくとも部分的に導電性エッジ部分を設けられた少なくとも１つのスリット開口部を設けられ、エッジ部分は、少なくとも１つの電気回路に接続され、基板は、キャリアベース内の少なくとも１つのスリット開口部の場所と整列された少なくとも１つの凹部を設けられる、ステップと、
ｂ）電気回路と接続するための少なくとも１つの電気ワイヤを提供するステップと、
ｃ）少なくとも１つの凹部内に少なくとも１つの電気ワイヤの端部を配置するステップと、
ｄ）ワイヤの端部及び導電性エッジ部分を導電的に結合するようにワイヤの端部を導電性エッジ部分に半田付けするステップと、
を有する。
【００２０】
一例によれば、ステップｃ）において、電気ワイヤの端部は、円周方向に包囲する電気絶縁体を設けられる。更に、ステップｄ）の前には、絶縁体が、ワイヤのスリット開口部に対向する側のそれぞれのスリット開口部に整列して除去される。
【００２１】
一態様によれば、電気回路の電気接続部は、キャリアプレート内のスリット開口部を介してはんだ付けによって接続されるケーブル接続部を設けられる。はんだ付けは、いわば反対側から供給される。ケーブルの端部は、電気回路用に設けられた基板の凹部内で基板と平行に延びている。
【００２２】
本発明のこれら及び他の態様は、以下に記載される実施形態から明らかになり、それを参照して説明される。
【００２３】
発明の例示的な実施形態は、以下の図面を参照して以下に説明される。
【図面の簡単な説明】
【００２４】
【図１】斜視図において介入装置の電気部品の一例を示す。
【図２】図１の電気部品の断面を示す。
【図３】電気部品の一例の製造段階を示す。
【図４】電気部品の別の例の製造段階を示す。
【図５ａ】第１の観察方向における電気部品の更なる例の製造段階を示す。
【図５ｂ】第２の観察方向における図５ａの製造段階を示す。
【図６】医療検査セットアップの文脈において、対象に少なくとも部分的に挿入するための介入装置の一例を示す。
【図７】介入装置の電気部品を製造する方法の一例のステップを示す。
【発明を実施するための形態】
【００２５】
図１は、介入装置の電気部品１０の一例を示す。部品１０は、平坦なキャリアベース１２と、基板１６上に設けられた少なくとも１つの電気回路１４と、有線接続２０によって電気回路１４に接続された少なくとも１つの電気ワイヤ１８とを有する。基板１６は、キャリアベース１２に取り付けられる。有線接続２０に対して、キャリアベース１２は、少なくとも部分的に導電性エッジ部分２４を設けられた少なくとも１つのスリット開口部２２（図２も参照）を設けられ、このエッジ部分２４は、少なくとも１つの電気回路１４に接続される（詳細には図示せず）。基板１６は、キャリアベース内の少なくとも１つのスリット開口部２２の場所と整列された少なくとも１つの凹部２６を設けられる。ワイヤ１８の端部２８は、少なくとも１つの凹部２６内に配置される。ワイヤの端部は、導電性材料３０、例えばはんだ付け材料及び／又は導電性接着剤によって導電性エッジ部分に導電的に結合される。
【００２６】
基板における凹部２６は、直線状に設けられており、したがって、スリット凹部と称されることもできる。凹部２６は、例えば図１に示されるようなＵ字形の包囲基板によって形成された端壁部分を設けられてもよい。基板は、それぞれの電気回路に応じて様々な構成を有し得ることに留意されたい。また、凹部は、以下の図に示されるように、端壁なしで設けられてもよい。
図２は、図１の電気部品の断面を示す。示されるように、ワイヤ１８の端部２８は、はんだ接続、例えば、導電性エッジと少なくともワイヤの導電性エッジに対向する側との間のはんだ付けによって導電性エッジ部分２４に導電的に結合される。加えて、はんだ付けは、ワイヤの端部を少なくとも部分的に取り囲み、従って、  包囲するように設けられてもよい。
【００２７】
図２では、ケーブル１８は、右側の凹部２６に挿入されるが、左側の凹部２６は、例示目的でケーブルなしで図示される。
【００２８】
電気回路の基板は、１つの基板部分として、又は各々が平坦なキャリアベースに取り付けられた、いくつかの分割された基板部分として設けられてもよい。
【００２９】
一例では、ワイヤは、ワイヤ１８の端部において除去される円周方向に包囲する電気絶縁体３２を設けられる。
【００３０】
一例では、図２に示されるように、少なくとも１つの電気回路１４の基板は、第１の側において、例えば図２の下側として、キャリアベース１２に取り付けられ、少なくとも１つの電気ワイヤ１８も、第１の側、例えば図２の下側においてキャリアベースに接続される。したがって、ワイヤは、電気回路の基板と同じ側に配置される。したがって、ワイヤは、回路とともに面内に設けられ、その結果、小さい管腔、例えば、小さい血管内への挿入に適した平坦な部品を生じる。
【００３１】
オプションとして提供される、一例では、キャリアベース１２は、可撓性層３４と、可撓性層に取り付けられた導体経路とを有する。例えば、キャリアベースは、ポリイミドから作られる。導体経路は、電気回路に接続される。導体経路は、接点又は回路素子と称されることもできる。一例では、キャリアベースは、少なくとも２つの層で多層化され、導体経路は、２つの層の間に設けられる。
【００３２】
更なるオプションとして提供されるが、更には図示されない一例では、キャリアベースは、剛体層を有する。
【００３３】
一例では、スリット開口部は、例えばシリコン接触パッド内に金属化されたスロットとして設けられる。導電性エッジ部分は、開口部を有するボンドパッドとも称されることができる。
【００３４】
図２において、導電性エッジ部分は、キャリアベース１２のスリット開口部２２のエッジ３８上にクランプされた金属パッド３６として設けられる。更に、金属パッド３６は、導体経路に接続される（詳細には図示せず）。一例では、金属パッドは、アルミニウム（Ａｌ）パッド上のニッケル／金（Ｎｉ／Ａｕ）めっきとして提供される。
【００３５】
オプションとして提供される、一例において、電気回路１４の基板１６は、シリコンから作られた剛体基板である。
【００３６】
ワイヤ接続は、２つの機能を有する。第１に、機械的接続が、接続されたワイヤを所定の位置に保持する。第２に、導電性接続は、電気接続を提供する。
【００３７】
オプションとして提供される一例では、電気ワイヤ１８は、凹部を形成する基板のエッジ部分に接着剤４０で機械的に結合される。
【００３８】
除去された絶縁体３２と接着剤４０を用いる結合とを有する例では、機械的接続及び導電性接続の２つの機能は、互いから分離されて、しかし同じ場所に設けられる。
【００３９】
図３は、電気部品の一例の製造段階を示す。
【００４０】
下方左には、キャリアベース１２が、スリット開口部２２及び導電性エッジ部分２４と共に示される。凹部２６を有する基板１６は、キャリアベース１２の下にある。
【００４１】
示されるように、１より多いスリット開口部／凹部構成が、提供されることができる。図３では、２つの平行なスリットが、示されるが、２より多い、例えば、３つ、４つ、５つ、又はそれ以上が、設けられることもできる。
【００４２】
下方中央では、ケーブル１８が、凹部２６内に挿入される。示されるように、絶縁体３２は、ケーブル１８の端部２８において除去される。
【００４３】
下方右には、ケーブル１８の端部２８を導電性エッジ２４に接続するはんだ付けが、スリット開口部２２を介して適用される。
【００４４】
図３では、更なるケーブル接続が、左上部に示される。これは、例えば、センサのアレイを形成する場合に、更なる回路と接続するために提供されてもよい。
【００４５】
図４は、電気部品の別の例の製造段階を示す。
【００４６】
下方左には、キャリアベース１２が、スリット開口部２２及び導電性エッジ部分２４と共に示される。凹部２６を有する基板１６は、キャリアベース１２の下にある。
下方中央左では、ケーブル１８が、凹部２６に挿入される。例えば、ケーブルは、接着剤で取り付けられ、所定の位置に保持される。
【００４７】
オプションとして提供される、下方中央右では、ワイヤ１８の端部２８は、ワイヤのスリット開口部２２に対向する側におけるそれぞれのスリット開口部２２と整列して除去された円周方向に包囲する電気絶縁体３２を設けられる。こうして、包囲電気絶縁体３２は、スリット開口部２２の領域でのみ除去される。一例では、例えば、ワイヤの端部２８が凹部２６内に配置されると、電気絶縁３２は、レーザによって除去される。一例では、電気絶縁体３２は、例えば接着剤によって、ワイヤの更なる取り付け後に除去される。別の例では、電気絶縁体３２は、更なる取り付けの前に除去される。
【００４８】
右下には、ケーブル１８の端部２８を導電性エッジ２４に接続するはんだ付けが、スリット開口部２２を介して適用される。
【００４９】
一例では、スリット開口部２２は、例えば、同じレーザ除去処理においてポリイミド層、接着剤（存在する場合）、及びワイヤ絶縁体をレーザ除去することによっても提供される。このようなワークフローでは、キャリアベース１２は、スリット開口部２２なしで提供されてもよく、スリット開口部２２は、次いで、図４の下方中央右に示されるように、第３段階の間に提供される。
【００５０】
図４では、更なるケーブル接続が、オプションとして、例えば、複数の更なる回路が設けられる場合に、上方左部分に示される。
【００５１】
一例では、図３及び図４に示されるように、少なくとも１つの凹部２６は、少なくとも１つのスリット開口部２２が少なくとも１つの凹部２６内に到達するように配置される。
【００５２】
したがって、重複する凹部及びスリットが、設けられる。こうして、スリット開口部２２は、凹部２６内に対して開放する。凹部及びスリット開口部は、スリット開口部の開口方向において整列され、すなわち、いわば垂直方向に整列される。第１の側は、下側又は底側とも称されることができ、凹部は、電気回路の基板の上側に配置されるキャリアベースに設けられたスリット開口部の下方で整列されて配置される。
【００５３】
整列された凹部及びスリット、すなわち重複する凹部及びスリット配置を有する例では、２つの機能、機械的接続及び導電性接続が、例えばはんだ接続によって、一体化された形で提供される。
【００５４】
図５ａは、第１の観察方向における電気部品の更なる例の製造段階を示す。少なくとも１つの凹部２６は、少なくとも１つのスリット開口部２２に沿って配置されるが、変位される。図５ａの下方中央に示されるように、ワイヤは、まず、凹部を通って延在し、次いで、スリット開口部に到達する（図５ａの下方中央も参照）。ワイヤは、凹部２６内の一部に電気絶縁体３２の円周方向層を設けられる。更に、ワイヤは、接着剤４２（詳細には図示せず）によって、凹部２６を形成する基板のエッジ部分に機械的に結合される。凹部は、基板１６と重複するワイヤの第１の部分にのみ設けられる。凹部２６は、スリット開口部２２の下（図５ａ又は図５ｂの「上」）には設けられない。
【００５５】
図５ａでは、更なるケーブル接続が、オプションとして上方右に示される。
【００５６】
図５ｂは、第２の、反対の観察方向において図５ａの製造段階を示す。
【００５７】
図５ｂにおいて、基板１６は、例えば設けられた電気回路に対する要求に応じて、それぞれ基板内の、いくつかのサブセグメントとして設けられることを示される。
【００５８】
一例では、機械的結合が、エポキシ埋め込みによって提供される。
【００５９】
機械的結合は、ワイヤ端部のはんだ接続のためのストレスリリーフを提供する。
【００６０】
一例では、接着剤は、接着剤、例えばエポキシ接着剤である。
【００６１】
変位された凹部及びスリットを有する例では、機械的接続及び導電性接続の２つの機能は、２つの場所において互いから分離されて提供される。
【００６２】
詳細には示されない一例では、少なくとも１つのスリット開口部は、少なくとも１つの凹部と整列して配置され、凹部は、凹部の第１の部分がキャリアベースのスリット開口部とともに設けられ、第２の部分がキャリアベースのスリット開口部なしで設けられるように、スリット開口部よりも長い延長部を有する。更に、ワイヤは、凹部の第２の部分内の部分において電気絶縁体の円周方向層を有する絶縁セクションを設けられ、絶縁セクションにおいて、ワイヤは、凹部を形成する基板のエッジ部分に接着剤で機械的に結合される。更に、ワイヤは、凹部の第１の部分内の一部における絶縁なしの剥き出し端部セクションを設けられ、この剥き出し端部セクションでは、ワイヤが、はんだ付けによって接続される。このように、凹部は、ワイヤが別々に機械的に接続され、導電的に接続されるように、スリットよりも長い。
【００６３】
電気部品は、介入装置のためのセンサ、測定ユニット、及びアプリケーションユニットのグループのうちの少なくとも１つとして提供される。例えば、電気部品は、容量性マイクロマシン超音波トランスデューサ（ＣＭＵＴ）又はＣＭＵＴトランスデューサアレイである。ＣＭＵＴは、例えば、血管内超音波（ＩＶＵＳ）装置上の超音波画像、生理学的測定装置（例えば、フローワイヤ、血圧ワイヤ）上の流量感知及び血圧感知のうちの少なくとも１つのために使用される。
【００６４】
オプションでは、電気部品は、複数の電気回路を有する。複数の相互接続ワイヤが、電気回路間に設けられる。更に、相互接続ワイヤは、キャリアベース内のスリット開口及び基板内の凹部との有線接続によって接続される。
【００６５】
図６は、対象に少なくとも部分的に挿入するための介入装置５０の一例を示す。装置５０は、細長い本体構造５２と、前述の例のうちの１つに従って提供される電気部品５４とを有する。本体構造は、対象５８に挿入するための遠位部分５６を有する。更に、電気部品は、本体構造の遠位部分に取り付けられる。
【００６６】
一例では、介入装置は、カテーテル又はガイドワイヤとして提供される。別の例では、介入装置は、血管内超音波撮像のための超音波プローブとして提供される。
【００６７】
用語「対象」は、また、個人と称されてもよい。「対象」は、更に、患者と称されてもよく、この用語は、任意の病気又は疾患が対象とともに実際に存在するかどうかを示すものではないと注意される。
【００６８】
図６は、一例として、医学的介入のためのシステム６０に関連する介入装置５０を示す。医学的介入のためのシステム６０は、例えばＣアームベースのＸ線撮像装置として示される医療撮像装置６２を有してもよい。対象５８は、患者支持体６４上に配置されうる。
【００６９】
図７は、介入装置の電気部品を製造するための方法１００の一例のステップを示す 。
【００７０】
ステップａ）とも称される第１のステップ１０２では、基板上に設けられた少なくとも１つの電気回路を有する平坦なキャリアベースが、提供される。基板回路は、キャリアベースに取り付けられる。更に、キャリアベースは、少なくとも部分的に導電性エッジ部分を設けられた少なくとも１つのスリット開口部を設けられ、このエッジ部分は、少なくとも１つの電気回路に接続される。更に、基板は、キャリアベース内の少なくとも１つのスリット開口部の場所と整列された少なくとも１つの凹部を設けられる。
【００７１】
ステップｂ）とも称される第２のステップ１０４では、電気回路と接続するための少なくとも１本の電気ワイヤが、提供される。
【００７２】
ステップｃ）とも称される第３のステップ１０６では、少なくとも１つの電気ワイヤの端部が、少なくとも１つの凹部内に配置される。
【００７３】
ステップｄ）とも称される第４のステップ１０８において、ワイヤの端部は、ワイヤの端部と導電性エッジ部分とを導電的に結合するように導電性エッジ部分に取り付けられる。これは、例えば、導電性材料（例えば、銀接着剤）ではんだ付け又は接着することによって行われることができる。
【００７４】
一例では、電気回路を有する基板は、第１の側においてキャリアベースに取り付けられ、少なくとも１つの電気ワイヤも、第１の側においてキャリアベースに接続される。はんだ付けは、キャリアベースの第２の側から少なくとも１つのスリット開口部を通して行われ、第２の側は、第１の側と反対である。
【００７５】
詳細には図示されないオプションでは、ステップｃ）において、ワイヤの端部は、円周方向に包囲する電気絶縁体を設けられる。更に、ステップｄ）の前に、絶縁体が、ワイヤのスリット開口部に対向する側のそれぞれのスリット開口部に整列して除去される。
【００７６】
本発明の実施形態は、それぞれ異なる主題を参照して説明されることに留意されたい。特に、いくつかの実施形態は、方法タイプの請求項を参照して説明され、他の実施形態は、装置タイプの請求項を参照して説明される。しかしながら、当業者は、上記及び下記の説明から、別段の通知がない限り、１つのタイプの主題に属する特徴の任意の組み合わせに加えて、異なる主題に関する特徴間の任意の組み合わせも、本出願で開示されると見なされることを理解するであろう。しかしながら、全ての特徴は、組み合わせられて、特徴の単純な合計よりも高い相乗効果を提供することができる。
【００７７】
本発明は、図面及び前述の説明において詳細に図示及び説明されたが、このような図示及び説明は、例示的又は典型的であり、限定ではないと見なされるべきである。本発明は、開示された実施形態に限定されない。開示された実施形態に対する他の変形は、図面、開示及び従属請求項の検討から、請求項に記載の発明を実施する際に当業者によって理解され達成されることができる。
【００７８】
請求項において、単語「有する」は、他の要素又はステップを排除するものではなく、不定冠詞「ａ」又は「ａｎ」は、複数性を排除するものではない。単一のプロセッサ又は他のユニットは、特許請求の範囲において記載されるいくつかの項目の機能を満たすことができる。特定の手段が相互に異なる従属請求項において言及されるという単なる事実は、これらの手段の組み合わせが有利に使用されることができないことを示すものではない。請求項におけるいかなる参照符号も、範囲を限定するものとして解釈されるべきではない。
【図１】
2021533949.tif 000003
【図２】
2021533949.tif 000004
【図３】
2021533949.tif 000005
【図４】
2021533949.tif 000006
【図５Ａ】
2021533949.tif 000007
【図５Ｂ】
2021533949.tif 000008
【図６】
2021533949.tif 000009
【図７】
2021533949.tif 000010
【国際調査報告】
2021533949.tif 000011
2021533949.tif 000012